(57)【要約】【課題】  同じ被写体を静止画と動画それぞれで撮影したい場合、機材の交換移動が煩雑である。【解決手段】  本発明は上述の課題を解決するために、動画を撮影可能なカムコーダ又は静止画を撮影可能なカメラの何れか一方を選択的に取り付け可能なカメラ支持台７と、カメラ支持台７に対してその光軸方向に移動可能に設けられたレンズと、カムコーダ又はカメラとレンズとの間を連結し、レンズから入る光以外がカムコーダ又はカメラに入るのを防止する連結部材とからなる。【選択図】        図１
2005234416.tif 000002
【特許請求の範囲】
【請求項１】
動画を撮影可能なカムコーダ２又は静止画を撮影可能なカメラ３０の何れか一方を選択的に取り付け可能なカメラ支持台７、３１と、
前記カメラ支持台７、３１に対してその光軸方向に移動可能に設けられたレンズ１０、２０と、
前記カムコーダ２又はカメラ３０と前記レンズ１０、２０との間を連結し、前記レンズ１０、２０から入る光以外がカムコーダ２又はカメラ３０に入るのを防止する連結部材９、２１とからなることを特徴とするカメラシステム。
【請求項２】
前記カメラ支持台７、３１は前記レンズ１０、２０の光軸方向に移動可能とされたことを特徴とする請求項１に記載のカメラシステム。
【請求項３】
前記レンズ１０、２０は光軸に対して傾斜及び水平移動可能とされたことを特徴とする請求項１に記載のカメラシステム。
【請求項４】
前記カメラ支持台７、３１はカムコーダ３０又はカメラ２の光軸が同一高さとなるよう、その高さが異なることを特徴とする請求項１に記載のカメラシステム。
【発明の詳細な説明】
【技術分野】
【０００１】
本発明は、動画又は静止画を撮影するためのカメラシステムに関する。
【背景技術】
【０００２】
近年の急速なデジタル技術の進歩により、静止画撮影用のデジタルカメラで動画を、また動画撮影用のデジタルビデオカムコーダによって静止画を撮影することも可能であるが、現時点ではこれはあくまで補助的機能であり、高品質の撮影を行うためには、静止画と動画はそれぞれ異なる機材を用いて撮影される。
【発明の開示】
【発明が解決しようとする課題】
【０００３】
同じ被写体を静止画と動画それぞれで撮影したい場合は、それぞれの機材を別個に用意して撮影するが、例えば同じアングルで静止画及び動画を撮影したい場合は、デジタルカメラによって静止画を撮影した後、デジタルカメラを移動させ、次にデジタルビデオカムコーダをデジタルカメラが設置されていた同じ場所に設置した後、デジタルビデオカムコーダによって撮影する、という手順を踏む必要があり、機材の移動が煩雑である。
【課題を解決するための手段】
【０００４】
本発明は上述の課題を解決するために、動画を撮影可能なカムコーダ又は静止画を撮影可能なカメラの何れか一方を選択的に取り付け可能なカメラ支持台７と、カメラ支持台７に対してその光軸方向に移動可能に設けられたレンズと、カムコーダ又はカメラとレンズとの間を連結し、レンズから入る光以外がカムコーダ又はカメラに入るのを防止する連結部材とからなる。
【発明の効果】
【０００５】
本発明によれば、カメラ本体を交換するだけで静止画と動画の撮影を簡単に行うことが可能となる。
【発明を実施するための最良の形態】
【０００６】
以下、本発明による最良の実施形態を、添付図面を参照しながら説明する。
【実施例１】
【０００７】
図１はデジタルビデオカムコーダ２を本発明のカメラシステムに取り付けた状態の側面図である。三脚３に対して支持台４が水平方向に回転可能とされると共に、傾動可能とされている。回転棒５を回転させることにより、架台４を固定したり、或いは自由に動かすことが可能となる。この架台４にベース６が固定されている。デジタルビデオカムコーダ２はカメラ支持台７にネジで固定され、このカメラ支持台７はベース６に対して図の矢印Ａ−Ｂ方向に移動可能とされている。
【０００８】
デジタルビデオカムコーダ２は用途に応じて広角レンズ、望遠レンズ等、レンズ交換を交換可能とするためのレンズ取り付け部８が設けられている。このレンズ取り付け部に蛇腹９の一端が取り付けられている。蛇腹９の他端には広角レンズ１０を保持するレンズホルダー１３が取り付けられている。
【０００９】
ベース６に固定された円柱状のスライドバー１１に矢印Ａ−Ｂ方向に移動可能とされたレンズ固定台１２に対し、レンズホルダー１３が紙面と垂直方向の軸と紙面と水平で矢印Ｃ−Ｄと平行な軸に対してそれぞれ回転可能に取り付けられ、上下左右のあおり調整が可能とされている。また、レンズホルダー１３は光軸と垂直な面内で平行移動可能とされている。もちろん、ピント合わせの際には広角レンズ１０をその光軸方向である矢印Ａ−Ｂ方向に移動させる。
【００１０】
ピントあわせのためにレンズ固定台１２を矢印Ａ−Ｂ方向に移動させてもレンズ１０とデジタルビデオカムコーダ２を連結している連結部材である蛇腹９が伸縮し、広角レンズ１０から入射した光のみをデジタルビデオカムコーダ２内部のＣＣＤ（図示せず）に入射させる。
【実施例２】
【００１１】
図２は広角レンズ１０の代わりに望遠レンズ２０を使用する場合のカメラシステムの側面図である。望遠レンズ１４を使用する場合は、蛇腹９の他端に延長用蛇腹２１の一端を取り付ける。なお、延長用蛇腹２１の一端にはスライドバー１１に摺動可能に支持されるサポート部２２が設けられ、蛇腹９と延長用蛇腹２１の接合部が垂れ下がるのを防止している。
【００１２】
望遠レンズ２０を支持するレンズホルダー２３は延長用蛇腹２１に取り付けられ、このレンズホルダー２３はレンズ固定台１２に支持されることにより、レンズホルダー２３が２軸方向に移動可能とされると共に、上下左右のあおり調整が可能とされている。また、レンズホルダー２３は矢印Ａ−Ｂ方向と直行する矢印Ｃ−Ｄ方向にも平行移動可能とされている。もちろん、ピント合わせの際には望遠レンズ２０を矢印Ａ−Ｂ方向にスライドさせる。
【実施例３】
【００１３】
図２に示すようにデジタルビデオカムコーダ２に望遠レンズ２０が取り付けられた状態で撮影中に被写体を静止画で撮影する場合は、デジタルビデオカムコーダ２を図２の矢印Ｂ方向にスライドさせ、カメラ支持台７から抜き取り、カメラ支持台３１に取り付けられた静止画用デジタルカメラ３０をベース６に取り付ける。図３はデジタルカメラ３０を取り付けた状態を示す側面図である。デジタルカメラ３０はレンズ交換可能なものである必要があり、必要であれば蛇腹９の一端にデジタルカメラ３０を取り付けるためのアタッチメントを使用しても良い。
【００１４】
ここで、デジタルビデオカムコーダ２とデジタルカメラ３０のそれぞれの光軸の高さが一致するよう、カメラ支持台７、３１の高さをそれぞれ異ならせている。従って、カメラを交換してもレンズの高さを調整する必要がない。
【００１５】
このように、望遠レンズ２０を交換することなく、デジタルビデオカムコーダ２とデジタルカメラ３０を交換可能であるため、全く同じアングルを動画と静止画で撮影することが可能となる。もちろん、デジタルカメラ３０のみならず、他のカメラも使用可能であることは勿論である。
【００１６】
使用する望遠レンズによっては、延長用蛇腹２１を相当伸ばして使用することがあり、その場合、三脚３の架台４上における重心位置が架台４の中心から大幅にずれる場合がある。このような状況でカメラを三脚３上で回転させたり傾動させたりする場合、使用者に負担がかかる。その場合はカメラ支持台７を図の矢印Ａ−Ｂ方向に移動させ、架台４上における重心が三脚３の中心に合致するよう調整する。図４は図２に対し、望遠レンズ２０を矢印Ａ方向に移動させた結果、架台４上における重心位置が矢印Ａ方向にずれたため、カメラ支持台７をベース６に対して矢印Ｂ方向に移動させ、架台４上の重心位置を三脚３の中心付近に合致させた状態を示す。
【００１７】
なお、本発明装置に使用するカメラは上述の実施例に限定されることなく、フィルムを使用するスチールカメラやビデオカメラでも適用可能であるなど、本発明の趣旨を逸脱しない範囲で種々の態様を取り得る。
【図面の簡単な説明】
【００１８】
【図１】本カメラシステムに広角レンズ１０を取り付けたデジタルビデオカムコーダ２を設置した状態の側面図。
【図２】本カメラシステムに望遠レンズ２０を取り付けたデジタルビデオカムコーダ２を設置した状態の側面図。
【図３】本カメラシステムに望遠レンズ２０を取り付けたデジタルビデオカムコーダ２を設置した状態の側面図。
【図４】望遠レンズ２０を取り付けたデジタルビデオカムコーダ２を矢印Ｂ方向に移動した状態を示す側面図。
【符号の説明】
【００１９】
２  デジタルビデオカムコーダ
３  三脚
４  架台
７、３１  カメラ支持台
９  蛇腹
１０  広角レンズ
２０  望遠レンズ
２１  延長用蛇腹
３０  デジタルカメラ
【図１】
2005234416.tif 000003
【図２】
2005234416.tif 000004
【図３】
2005234416.tif 000005
【図４】
2005234416.tif 000006